(57)【要約】【課題】  手に持った状態、或いは、机上等に載置した状態等、使用状態に応じて自動でラベルの切断方法を変えることができるテープ印刷装置を提供する。【解決手段】  テープ印刷装置は、テープ印刷装置が机上等に載置されている状態か、或いは、手等に保持されている状態かを検出する使用状態検出手段を備え、また、制御手段と、入力手段と、表示手段と、印刷手段と、フルカット手段と、ハーフカット手段と、テープ搬送手段、を有し、使用状態検出手段は、テープ印刷装置の筐体の底部に装着された押しボタン形式の使用状態検出スイッチによって形成され、制御手段は、使用状態検出スイッチがＯＦＦ状態のとき、ラベルの印刷を終了した後、ハーフカット手段を制御してラベルの最後をハーフカットし、テープ搬送手段を制御して所定の長さテープ部材を外方に繰り出すことによりラベルを作成する。【選択図】    図５
2011025411.tif 000002
【特許請求の範囲】
【請求項１】
印刷テープと剥離テープとを積層してなるテープ部材を搬送する搬送手段と、前記搬送手段によって搬送される前記テープ部材の印刷テープに印刷を行う印刷手段と、前記テープ部材の印刷テープ及び剥離テープをともに切断するフルカット手段と、前記テープ部材の剥離テープを残して印刷テープを切断するハーフカット手段と、前記テープ部材に印刷するラベルの枚数を設定する印刷枚数設定手段と、を備えたテープ印刷装置において、
該テープ印刷装置が机上等に載置されている第１の使用状態か、或いは、使用者に保持されている第２の使用状態かを検出する使用状態検出手段と、
前記搬送手段、前記印刷手段、前記フルカット手段及び前記ハーフカット手段を制御する制御手段と、を備え、
前記制御手段は、前記使用状態検出手段によって第１の使用状態が検出された場合、前記印刷手段が前記印刷枚数設定手段によって設定された枚数のラベルの印刷を終了した後に、前記テープ部材に印刷された最終のラベルの後端位置で前記フルカット手段を動作させ、前記使用状態検出手段によって第２の使用状態が検出された場合、前記印刷手段が前記印刷枚数設定手段によって設定された枚数のラベルの印刷を終了した後に、前記フルカット手段を動作させることなく、前記テープ部材に印刷された最終のラベルの後端位置で前記ハーフカット手段を動作させた後、前記搬送手段を動作させて、前記テープ部材を所定距離だけ該テープ印刷装置の装置外に向けて搬送させることを特徴とするテープ印刷装置。
【請求項２】
印刷テープと剥離テープとを積層してなるテープ部材を搬送する搬送手段と、前記搬送手段によって搬送される前記テープ部材の印刷テープに印刷を行う印刷手段と、前記テープ部材の印刷テープ及び剥離テープをともに切断するフルカット手段と、前記テープ部材に印刷するラベルの枚数を設定する印刷枚数設定手段とを備えたテープ印刷装置において、
該テープ印刷装置が机上等に載置されている第１の使用状態か、或いは、使用者に保持されている第２の使用状態かを検出する使用状態検出手段と、
前記搬送手段、前記印刷手段及び前記フルカット手段を制御する制御手段と、を備え、
前記制御手段は、前記使用状態検出手段によって第１の使用状態が検出された場合、前記印刷手段が前記印刷枚数設定手段によって設定された枚数のラベルの印刷を終了した後に、前記テープ部材に印刷された最終のラベルの後端位置で前記フルカット手段を動作させ、前記使用状態検出手段によって第２の使用状態が検出された場合、前記印刷手段が前記印刷枚数設定手段によって設定された枚数のラベルの印刷を終了した後に、前記フルカット手段を動作させることなく、前記印刷手段を制御して前記テープ部材に印刷された最終のラベルの後端位置に前記テープ部材のカット位置を表すカットマークを印刷した後、前記搬送手段を動作させて、前記テープ部材を所定距離だけ該テープ印刷装置の装置外に向けて搬送させることを特徴とするテープ印刷装置。
【請求項３】
印刷テープと剥離テープとを積層してなるテープ部材の印刷テープに印刷を行う印刷手段と、前記テープ部材の印刷テープ及び剥離テープをともに切断するフルカット手段と、前記テープ部材に印刷するラベルの枚数を設定する印刷枚数設定手段とを備えたテープ印刷装置において、
該テープ印刷装置が机上等に載置されている第１の使用状態か、或いは、使用者に保持されている第２の使用状態かを検出する使用状態検出手段と、
使用者の操作により前記フルカット手段の動作を指示する所定の信号を発生する動作指示手段と、
所定のメッセージ等の表示を行う表示手段と、
前記印刷手段、前記フルカット手段及び前記表示手段を制御する制御手段と、を備え、
前記制御手段は、前記使用状態検出手段によって第１の使用状態が検出された場合、前記印刷手段が前記印刷枚数設定手段によって設定された枚数のラベルの印刷を終了した後に、前記テープ部材に印刷された最終のラベルの後端位置で前記フルカット手段を動作させ、前記使用状態検出手段によって第２の使用状態が検出された場合、前記印刷手段が前記印刷枚数設定手段によって設定された枚数のラベルの印刷を終了した後に、前記フルカット手段を動作させることなく、前記表示手段に、前記動作指示手段の操作によって前記フルカット手段を動作させることを促すメッセージを表示させ、前記動作指示手段によって発生する前記所定の信号に基づいて、前記テープ部材に印刷された最終のラベルの後端位置で前記フルカット手段を動作させることを特徴とするテープ印刷装置。
【請求項４】
前記使用状態検出手段は、前記テープ印刷装置の筐体の底部に装着された使用状態検出スイッチによって形成され、
前記使用状態検出スイッチは、該テープ印刷装置が机上等に載置されているときには、机の天板等に押圧されて前記第１の使用状態を表す動作状態となり、前記テープ印刷装置が使用者に保持されているときには、押圧を開放されて前記第２の使用状態を表す動作状態となることを特徴とする請求項１乃至請求項３のいずれかに記載のテープ印刷装置。
【請求項５】
前記使用状態検出手段は、前記テープ印刷装置を保持するために設けられた把持部に装着された使用状態検出スイッチによって形成され、
前記状態検出スイッチは、該テープ印刷装置が机上等に載置されているときには、使用者の手指による押圧を解放されて前記第１の使用状態を表す動作状態となり、前記テープ印刷装置が使用者に保持されているときには、使用者の手指による押圧を受けて前記第２の使用状態を表す動作状態となることを特徴とする請求項１乃至請求項３のいずれかに記載のテープ印刷装置。
【請求項６】
前記使用状態検出手段は、前記テープ印刷装置の筐体の底部に装着されて前記第１の使用状態を検出する第１の使用状態検出スイッチと、使用者が手指を掛けて前記テープ印刷装置を保持するための把持部に装着されて前記第２の使用状態を検出する第２の使用状態検出スイッチと、によって形成されることを特徴とする請求項１乃至請求項４のいずれかに記載のテープ印刷装置。
【請求項７】
前記制御手段は、前記使用状態検出手段によって検出される前記テープ印刷装置の使用状態に関わらず、前記印刷枚数設定手段によって設定された複数枚の印刷枚数における各ラベルの間で、前記ハーフカット手段を動作させることを特徴とする請求項１に記載のテープ印刷装置。
【請求項８】
前記制御手段は、前記使用状態検出手段によって検出される前記テープ印刷装置の使用状態に関わらず、前記印刷枚数設定手段によって設定された複数枚の印刷枚数における各ラベルの間に、前記印刷手段によって前記テープ部材のカット位置を表すカットマークを前記テープ部材の印刷テープに印刷させることを特徴とする請求項１乃至請求項５のいずれかに記載のテープ印刷装置。
【請求項９】
印刷テープと剥離テープとを積層してなるテープ部材の印刷テープ及び剥離テープをともに切断するフルカット手段、及び前記テープ部材の剥離テープを残して印刷テープを切断するハーフカット手段をテープ印刷装置本体に備えるとともに、該テープ印刷装置が机上等に載置されている第１の使用状態か、或いは、使用者に保持されている第２の使用状態かを検出する使用状態検出手段を備えてなるテープ印刷装置を用いて、前記テープ部材に所定設定枚数のラベルを印刷するラベルの印刷方法であって、
前記テープ部材に所定設定枚数分のラベルを印刷するラベル印刷処理と、
前記使用状態検出手段によって前記テープ印刷装置の使用状態を検出する使用状態検出処理と、
前記使用状態検出処理において、第１の使用状態が検出された場合、前記ラベル印刷処理の終了時に、前記フルカット手段によって前記テープ部材を切断し、前記第２の使用状態が検出された場合、前記ラベル印刷処理の終了時に、前記ハーフカット手段によって前記テープ部材を切断するテープカット処理と、
前記使用状態検出処理で第２の使用状態が検出された場合、前記テープカット処理の後に、前記テープ部材を所定距離だけ前記テープ印刷装置の装置外に搬送するテープ搬送処理と、
を実行することを特徴とするラベルの印刷方法。
【請求項１０】
印刷テープと剥離テープとを積層してなるテープ部材の印刷テープ及び剥離テープをともに切断するフルカット手段をテープ印刷装置本体に備えるとともに、該テープ印刷装置が机上等に載置されている第１の使用状態か、或いは、使用者に保持されている第２の使用状態かを検出する使用状態検出手段を備えてなるテープ印刷装置を用いて、前記テープ部材に所定設定枚数のラベルを印刷するラベルの印刷方法であって、
前記テープ部材に所定設定枚数分のラベルを印刷するラベル印刷処理と、
前記使用状態検出手段によって前記テープ印刷装置の使用状態を検出する使用状態検出処理と、
前記使用状態検出処理において、第１の使用状態が検出された場合、前記ラベル印刷処理の終了時に、前記フルカット手段によって前記テープ部材を切断するテープカット処理と、
前記使用状態検出処理において、第２の使用状態が検出された場合、前記ラベル印刷処理の終了時に、カット位置を表すカットマークを印刷するカットマーク印刷処理と、
前記カットマーク印刷処理に続いて、前記テープ部材を所定距離だけ前記テープ印刷装置の装置外に搬送するテープ搬送処理と、
を備えることを特徴とするラベルの印刷方法。
【請求項１１】
印刷テープと剥離テープとを積層してなるテープ部材の印刷テープ及び剥離テープをともに切断するフルカット手段、及び前記テープ部材の剥離テープを残して印刷テープを切断するハーフカット手段をテープ印刷装置本体に備えるとともに、該テープ印刷装置が机上等に載置されている第１の使用状態か、或いは、使用者に保持されている第２の使用状態かを検出する使用状態検出手段を備えてなるテープ印刷装置を用いて、前記テープ部材に所定設定枚数のラベルを印刷するラベルの印刷方法を実現するためのプログラムを記憶したコンピュータ読み取り可能な記録媒体において、
前記テープ部材に所定設定枚数分のラベルを印刷するラベル印刷処理と、
前記使用状態検出手段によって前記テープ印刷装置の使用状態を検出する使用状態検出処理と、
前記使用状態検出処理において、第１の使用状態が検出された場合、前記ラベル印刷処理の終了時に、前記フルカット手段によって前記テープ部材を切断し、第２の使用状態が検出された場合、前記ラベル印刷処理の終了時に、前記ハーフカット手段によって前記テープ部材を切断するテープカット処理と、
前記使用状態検出処理で第２の使用状態が検出された場合、前記テープカット処理の後に、前記テープ部材を所定距離だけ前記テープ印刷装置の装置外に搬送するテープ搬送処理と、
を実現するためのプログラムを記憶したことを特徴とする記憶媒体。
【請求項１２】
印刷テープと剥離テープとを積層してなるテープ部材の印刷テープ及び剥離テープをともに切断するフルカット手段をテープ印刷装置本体に備えるとともに、該テープ印刷装置が机上等に載置されている第１の使用状態か、或いは、使用者に保持されている第２の使用状態かを検出する使用状態検出手段を備えてなるテープ印刷装置を用いて、前記テープ部材に所定設定枚数のラベルを印刷するラベル印刷方法を実現するためのプログラムを記憶したコンピュータ読み取り可能な記録媒体において、
前記テープ部材に所定設定枚数分のラベルを印刷するラベル印刷処理と、
前記使用状態検出手段によって前記テープ印刷装置の使用状態を検出する使用状態検出処理と、
前記使用状態検出処理において、第１の使用状態が検出された場合、前記ラベル印刷処理の終了時に、前記フルカット手段によって前記テープ部材を切断するテープカット処理と、
前記使用状態検出処理において、第２の使用状態が検出された場合、前記ラベル印刷処理の終了時に、カット位置を表すカットマークを印刷するカットマーク印刷処理と、
前記カットマーク印刷処理に続いて、前記テープ部材を所定距離だけ前記テープ印刷装置の装置外に搬送するテープ搬送処理と、
を実現するためのプログラムを記憶したことを特徴とする記憶媒体。
【発明の詳細な説明】
【技術分野】
【０００１】
本発明は、テープ部材に印字を行いその印刷された部分を切断してラベルを作成する際に、装置本体が机上等に載置した状態で使用される、或いは、手等に保持した状態で使用される等、装置本体の使用状態に応じてテープ部材を切断するカッターを適切に動作させるようにしたテープ印刷装置と、そのテープ印刷装置によってラベルを作成するラベルの印刷方法と、このラベルの印刷方法を実現するためのプログラムが記憶された記憶媒体に関する。
【背景技術】
【０００２】
印刷テープと剥離テープとを積層してなるテープ部材をテープカセット内に収納し、このテープカセットを印刷装置にセットして、キーボード等の入力手段から入力された、或いは、他の機器から出力された文字、記号、ロゴ、キャラクタ、マーク等を印刷することにより、固有のラベルを作成できる装置としてテープ印刷装置がある。
【０００３】
テープ印刷装置では、印刷テープと剥離テープを完全に切り落とすフルカット機構と、印刷テープの層のみを切り落とすハーフカット機構と、を備えたものがある（例えば、特許文献１）。このようなテープ印刷装置では、例えば、連続で複数枚のネームラベルを作成する場合に、各ネームラベルの印刷の間で自動的にハーフカット機構を動作させてテープ部材に対してハーフカットを行い、全てのネームラベルの印刷が終わった後に、フルカット機構を自動的に動作させて最終のネームラベルの後端位置でテープ部材に対してフルカットを行うといった動作を行っていた。また、従来、フルカット機構のみを備えハーフカット機構を備えていないテープ印刷装置も存在するが、そのようなテープ印刷装置によって複数枚のラベルを作成する場合、複数枚の各ラベルの後端位置でフルカット機構を自動的に動作させてテープ部材をフルカットしていた。
【先行技術文献】
【特許文献】
【０００４】
【特許文献１】特開２００１−８８３８０号公報
【発明の概要】
【発明が解決しようとする課題】
【０００５】
上述したようなテープ印刷装置は、近年、小型化及び高機能化し、机上等にテープ印刷装置を載置した状態で使用する場合に限らず、ロッカーや棚の前でテープ印刷装置を手に持った状態で使用することも可能になっている。しかしながら、従来のテープ印刷装置では、このような使用状態に応じてテープカット機構の動作をどのようにすべきかについて、特に、考慮はなされていなかった。
【０００６】
つまり、テープ印刷装置を手に持った状態でラベル印刷を行う場合、従来のテープ印刷装置では、一連の印刷終了後にフルカットしていたため、印刷の完了したラベルが装置本体を保持している手元から下に落ちてしまい、ラベルの紛失やラベルが汚れるという問題点があった。また、従来のテープ印刷装置では、落下したラベルが混ざり合うことにより所望のラベルを見つけるのに時間がかかるという問題点もあった。さらに、従来のテープ印刷装置では、混ざり合ったラベルの中から誤ったラベルを選択して貼付対象に貼付することにより、テープ部材に無駄が生じてコストが上昇することや、貼り直しにより作業効率が悪化するという問題点もあった。
【０００７】
本発明は、このような従来技術の問題点に鑑みてなされたものであり、手に持った状態、或いは、机上等に載置した状態等、使用状態に応じてフルカット或いはハーフカット等のテープカットを適切に行うことによりラベルを作成することができるテープ印刷装置と、そのテープ印刷装置を用いたラベルの印刷方法と、このラベルの印刷方法のプログラムが記憶された記憶媒体と、を提供することを目的とする。
【課題を解決するための手段】
【０００８】
本発明のテープ印刷装置は、印刷テープと剥離テープとを積層してなるテープ部材を搬送する搬送手段と、前記搬送手段によって搬送される前記テープ部材の印刷テープに印刷を行う印刷手段と、前記テープ部材の印刷テープ及び剥離テープをともに切断するフルカット手段と、前記テープ部材の剥離テープを残して印刷テープを切断するハーフカット手段と、前記テープ部材に印刷するラベルの枚数を設定する印刷枚数設定手段と、を備えたテープ印刷装置であって、該テープ印刷装置が机上等に載置されている第１の使用状態か、或いは、使用者に保持されている第２の使用状態かを検出する使用状態検出手段と、前記搬送手段、前記印刷手段、前記フルカット手段及び前記ハーフカット手段を制御する制御手段と、を備え、前記制御手段は、前記使用状態検出手段によって第１の使用状態が検出された場合、前記印刷手段が前記印刷枚数設定手段によって設定された枚数のラベルの印刷を終了した後に、前記テープ部材に印刷された最終のラベルの後端位置で前記フルカット手段を動作させ、前記使用状態検出手段によって第２の使用状態が検出された場合、前記印刷手段が前記印刷枚数設定手段によって設定された枚数のラベルの印刷を終了した後に、前記フルカット手段を動作させることなく、前記テープ部材に印刷された最終のラベルの後端位置で前記ハーフカット手段を動作させた後、前記搬送手段を動作させて、前記テープ部材を所定距離だけ該テープ印刷装置の装置外に向けて搬送させることを特徴とする。
【０００９】
また、本発明のテープ印刷装置は、印刷テープと剥離テープとを積層してなるテープ部材を搬送する搬送手段と、前記搬送手段によって搬送される前記テープ部材の印刷テープに印刷を行う印刷手段と、前記テープ部材の印刷テープ及び剥離テープをともに切断するフルカット手段と、前記テープ部材に印刷するラベルの枚数を設定する印刷枚数設定手段とを備えたテープ印刷装置であって、該テープ印刷装置が机上等に載置されている第１の使用状態か、或いは、使用者に保持されている第２の使用状態かを検出する使用状態検出手段と、前記搬送手段、前記印刷手段及び前記フルカット手段を制御する制御手段と、を備え、前記制御手段は、前記使用状態検出手段によって第１の使用状態が検出された場合、前記印刷手段が前記印刷枚数設定手段によって設定された枚数のラベルの印刷を終了した後に、前記テープ部材に印刷された最終のラベルの後端位置で前記フルカット手段を動作させ、前記使用状態検出手段によって第２の使用状態が検出された場合、前記印刷手段が前記印刷枚数設定手段によって設定された枚数のラベルの印刷を終了した後に、前記フルカット手段を動作させることなく、前記印刷手段を制御して前記テープ部材に印刷された最終のラベルの後端位置に前記テープ部材のカット位置を表すカットマークを印刷した後、前記搬送手段を動作させて、前記テープ部材を所定距離だけ該テープ印刷装置の装置外に向けて搬送させることを特徴とする場合もある。
【００１０】
さらに、本発明のテープ印刷装置は、印刷テープと剥離テープとを積層してなるテープ部材の印刷テープに印刷を行う印刷手段と、前記テープ部材の印刷テープ及び剥離テープをともに切断するフルカット手段と、前記テープ部材に印刷するラベルの枚数を設定する印刷枚数設定手段とを備えたテープ印刷装置であって、該テープ印刷装置が机上等に載置されている第１の使用状態か、或いは、使用者に保持されている第２の使用状態かを検出する使用状態検出手段と、使用者の操作により前記フルカット手段の動作を指示する所定の信号を発生する動作指示手段と、所定のメッセージ等の表示を行う表示手段と、前記印刷手段、前記フルカット手段及び前記表示手段を制御する制御手段と、を備え、前記制御手段は、前記使用状態検出手段によって第１の使用状態が検出された場合、前記印刷手段が前記印刷枚数設定手段によって設定された枚数のラベルの印刷を終了した後に、前記テープ部材に印刷された最終のラベルの後端位置で前記フルカット手段を動作させ、前記使用状態検出手段によって第２の使用状態が検出された場合、前記印刷手段が前記印刷枚数設定手段によって設定された枚数のラベルの印刷を終了した後に、前記フルカット手段を動作させることなく、前記表示手段に、前記動作指示手段の操作によって前記フルカット手段を動作させることを促すメッセージを表示させ、前記動作指示手段によって発生する前記所定の信号に基づいて、前記テープ部材に印刷された最終のラベルの後端位置で前記フルカット手段を動作させる構成とすることもある。
【００１１】
また、本発明のテープ印刷装置において、前記使用状態検出手段は、前記テープ印刷装置の筐体の底部に装着された使用状態検出スイッチによって形成され、前記使用状態検出スイッチは、該テープ印刷装置が机上等に載置されているときには、机の天板等に押圧されて前記第１の使用状態を表す動作状態となり、前記テープ印刷装置が使用者に保持されているときには、押圧を開放されて前記第２の使用状態を表す動作状態となることを特徴とする。
【００１２】
さらに、本発明のテープ印刷装置において、前記使用状態検出手段は、前記テープ印刷装置を保持するために設けられた把持部に装着された使用状態検出スイッチによって形成され、前記状態検出スイッチは、該テープ印刷装置が机上等に載置されているときには、使用者の手指による押圧を解放されて前記第１の使用状態を表す動作状態となり、前記テープ印刷装置が使用者に保持されているときには、使用者の手指による押圧を受けて前記第２の使用状態を表す動作状態となる構成とすることもある。
【００１３】
そして、本発明のテープ印刷装置において、前記使用状態検出手段は、前記テープ印刷装置の筐体の底部に装着されて前記第１の使用状態を検出する第１の使用状態検出スイッチと、使用者が手指を掛けて前記テープ印刷装置を保持するための把持部に装着されて前記第２の使用状態を検出する第２の使用状態検出スイッチと、によって形成されることを特徴とする場合もある。
【００１４】
また、本発明のテープ印刷装置において、前記制御手段は、前記使用状態検出手段によって検出される前記テープ印刷装置の使用状態に関わらず、前記印刷枚数設定手段によって設定された複数枚の印刷枚数における各ラベルの間で、前記ハーフカット手段を動作させることを特徴とする。
【００１５】
なお、本発明のテープ印刷装置において、前記制御手段は、前記使用状態検出手段によって検出される前記テープ印刷装置の使用状態に関わらず、前記印刷枚数設定手段によって設定された複数枚の印刷枚数における各ラベルの間に、前記印刷手段によって前記テープ部材のカット位置を表すカットマークを前記テープ部材の印刷テープに印刷させることもある。
【００１６】
本発明のラベルの印刷方法は、印刷テープと剥離テープとを積層してなるテープ部材の印刷テープ及び剥離テープをともに切断するフルカット手段、及び前記テープ部材の剥離テープを残して印刷テープを切断するハーフカット手段をテープ印刷装置本体に備えるとともに、該テープ印刷装置が机上等に載置されている第１の使用状態か、或いは、使用者に保持されている第２の使用状態かを検出する使用状態検出手段を備えてなるテープ印刷装置を用いて、前記テープ部材に所定設定枚数のラベルを印刷するラベルの印刷方法であって、前記テープ部材に所定設定枚数分のラベルを印刷するラベル印刷処理と、前記使用状態検出手段によって前記テープ印刷装置の使用状態を検出する使用状態検出処理と、前記使用状態検出処理において、第１の使用状態が検出された場合、前記ラベル印刷処理の終了時に、前記フルカット手段によって前記テープ部材を切断し、前記第２の使用状態が検出された場合、前記ラベル印刷処理の終了時に、前記ハーフカット手段によって前記テープ部材を切断するテープカット処理と、前記使用状態検出処理で第２の使用状態が検出された場合、前記テープカット処理の後に、前記テープ部材を所定距離だけ前記テープ印刷装置の装置外に搬送するテープ搬送処理と、を実行することを特徴とする。
【００１７】
また、本発明のラベルの印刷方法は、印刷テープと剥離テープとを積層してなるテープ部材の印刷テープ及び剥離テープをともに切断するフルカット手段をテープ印刷装置本体に備えるとともに、該テープ印刷装置が机上等に載置されている第１の使用状態か、或いは、使用者に保持されている第２の使用状態かを検出する使用状態検出手段を備えてなるテープ印刷装置を用いて、前記テープ部材に所定設定枚数のラベルを印刷するラベルの印刷方法であって、前記テープ部材に所定設定枚数分のラベルを印刷するラベル印刷処理と、前記使用状態検出手段によって前記テープ印刷装置の使用状態を検出する使用状態検出処理と、前記使用状態検出処理において、第１の使用状態が検出された場合、前記ラベル印刷処理の終了時に、前記フルカット手段によって前記テープ部材を切断するテープカット処理と、前記使用状態検出処理において、第２の使用状態が検出された場合、前記ラベル印刷処理の終了時に、カット位置を表すカットマークを印刷するカットマーク印刷処理と、前記カットマーク印刷処理に続いて、前記テープ部材を所定距離だけ前記テープ印刷装置の装置外に搬送するテープ搬送処理と、を備えることもある。
【００１８】
本発明の記憶媒体は、印刷テープと剥離テープとを積層してなるテープ部材の印刷テープ及び剥離テープをともに切断するフルカット手段、及び前記テープ部材の剥離テープを残して印刷テープを切断するハーフカット手段をテープ印刷装置本体に備えるとともに、該テープ印刷装置が机上等に載置されている第１の使用状態か、或いは、使用者に保持されている第２の使用状態かを検出する使用状態検出手段を備えてなるテープ印刷装置を用いて、前記テープ部材に所定設定枚数のラベルを印刷するラベルの印刷方法を実現するためのプログラムを記憶したコンピュータ読み取り可能な記録媒体であって、前記テープ部材に所定設定枚数分のラベルを印刷するラベル印刷処理と、前記使用状態検出手段によって前記テープ印刷装置の使用状態を検出する使用状態検出処理と、前記使用状態検出処理において、第１の使用状態が検出された場合、前記ラベル印刷処理の終了時に、前記フルカット手段によって前記テープ部材を切断し、第２の使用状態が検出された場合、前記ラベル印刷処理の終了時に、前記ハーフカット手段によって前記テープ部材を切断するテープカット処理と、前記使用状態検出処理で第２の使用状態が検出された場合、前記テープカット処理の後に、前記テープ部材を所定距離だけ前記テープ印刷装置の装置外に搬送するテープ搬送処理と、を実現するためのプログラムを記憶したことを特徴とする。
【００１９】
また、本発明の記憶媒体は、印刷テープと剥離テープとを積層してなるテープ部材の印刷テープ及び剥離テープをともに切断するフルカット手段をテープ印刷装置本体に備えるとともに、該テープ印刷装置が机上等に載置されている第１の使用状態か、或いは、使用者に保持されている第２の使用状態かを検出する使用状態検出手段を備えてなるテープ印刷装置を用いて、前記テープ部材に所定設定枚数のラベルを印刷するラベル印刷方法を実現するためのプログラムを記憶したコンピュータ読み取り可能な記録媒体であって、前記テープ部材に所定設定枚数分のラベルを印刷するラベル印刷処理と、前記使用状態検出手段によって前記テープ印刷装置の使用状態を検出する使用状態検出処理と、前記使用状態検出処理において、第１の使用状態が検出された場合、前記ラベル印刷処理の終了時に、前記フルカット手段によって前記テープ部材を切断するテープカット処理と、前記使用状態検出処理において、第２の使用状態が検出された場合、前記ラベル印刷処理の終了時に、カット位置を表すカットマークを印刷するカットマーク印刷処理と、前記カットマーク印刷処理に続いて、前記テープ部材を所定距離だけ前記テープ印刷装置の装置外に搬送するテープ搬送処理と、を実現するためのプログラムを記憶したことを特徴とする。
【発明の効果】
【００２０】
本発明によれば、手に持った状態、或いは、机上等に載置した状態等、使用状態に応じて適切なテープカットを行い、装置本体を手持ちで使用した場合に、フルカット手段が自動的に動作することがないように構成することにより、作成したラベルが不用意に手元から下に落下してしまう等の不都合を解消することができるテープ印刷装置と、そのテープ印刷装置を用いたラベルの印刷方法と、このラベルの印刷方法のプログラムが記憶された記憶媒体と、を提供することができる。
【図面の簡単な説明】
【００２１】
【図１】本発明の実施例に係るテープ印刷装置の外観斜視図である。
【図２】本発明の実施例に係るテープ印刷装置の内部拡大図及びテープカセットの斜視図である。
【図３】本発明の実施例に係るテープ印刷装置の機能ブロック図である。
【図４】本発明の実施例に係るテープ印刷装置の使用状態検出スイッチを説明する参考図である。
【図５】本発明の実施例に係るテープ印刷装置のラベル作成時における制御フローを示すフローチャートである。
【図６】本発明の実施例におけるテープ印刷装置を机上等に載置した状態で作成したラベルの説明図である。
【図７】本発明の実施例におけるテープ印刷装置を手等に保持した状態で作成したラベルの説明図である。
【図８】本発明の実施例におけるテープ印刷装置を手等に保持した状態で作成した他のラベルの説明図である。
【発明を実施するための形態】
【００２２】
以下、本発明を実施するための形態について述べる。本発明のテープ印刷装置1は、印刷テープと剥離テープとを積層してなるテープ部材31に文字や模様等の印刷を行い、印刷テープを剥離テープから剥がして貼付対象に貼付して使用するラベル61を作成する装置である。
【００２３】
このテープ印刷装置1は、テープ印刷装置1が机上等に載置されている状態か、或いは、手等に保持されている状態かを検出する使用状態検出手段を備えている。また、テープ印刷装置1は、制御手段としての制御部40と、データ入力を行う入力手段としての入力部3と、表示手段としての表示部4と、テープ部材31の印刷テープに印刷を行う印刷手段としてのサーマルヘッド11と、テープ部材31を切断するフルカット手段としてのフルカット機構17と、テープ部材31の剥離テープを残して印刷テープの層のみを切断するハーフカット手段としてのハーフカット機構18と、テープ部材31をテープカセット21から繰り出して装置内の所定の搬送路を搬送して装置外に排出する搬送手段としてのプラテンローラ12と、を備える。
【００２４】
使用状態検出手段は、テープ印刷装置1の筐体2の底部に装着された押しボタン形式の使用状態検出スイッチ55によって形成されている。この使用状態検出スイッチ55は、テープ印刷装置1が机上等に載置されているときには机の天板等に押されてＯＮ状態となり、テープ印刷装置1が手等に保持されているときには開放されてＯＦＦ状態となる。
【００２５】
そして、制御手段は、使用状態検出スイッチ55がＯＦＦ状態のとき、ラベル61の印刷を終了した後、ハーフカット手段を制御してラベル61の最後をハーフカット63し、搬送手段を制御して所定の長さテープ部材31を外方に繰り出すことによりラベル61を作成する。
【実施例】
【００２６】
以下、本発明の実施例を図に基づいて詳説する。図１は、本発明の実施例に係るテープ印刷装置1の外観を示す斜視図であり、図２は、このテープ印刷装置1に使用するテープカセット21の外観及びテープ印刷装置1の内部構造の一部を示す斜視図である。このテープ印刷装置1は、表面に印刷面を備え裏面が粘着面とされた印刷テープ層と、粘着面に貼着される剥離テープ層と、が積層されて形成されたテープ部材31に文字や模様等を印刷する装置である。
【００２７】
テープ印刷装置1は、図１に示すように、略直方体形状の筐体2を有し、筐体2の上面には入力部3及び表示部4が形成され、背面にはテープ部材31が繰り出される後述のテープ繰出部7が形成されている。なお、図示しないが、筐体2には、パーソナルコンピュータ等の外部機器と接続するための入力端子、電源コードが接続される電源端子、メモリーカード等の記憶媒体が挿入される挿入口等も形成されている。また、筐体2の底部には、後述するテープカセット21を着脱するためのカセット装填部が設けられるとともに、そのカセット装填部の開口部を覆う蓋が設けられている。
【００２８】
また、本発明のテープ印刷装置1は、机上等に載置した状態で使用する場合に限らず、手に持った状態でも使用できるようなサイズに構成されている。このため、筐体2の左側部には、使用者が手指を掛けて保持することが可能な把持部2aを備え、テープ印刷装置1を手に持った状態で使用する場合には、この把持部2aに指等を係止させることにより、安定した状態でテープ印刷装置1を保持することができる。さらに、筐体2の底部には、机上等に載置されているか、手に保持されているかを検出する後述の使用状態検出スイッチ55が設けられている。なお、本実施例において左とは、テープ印刷装置1を入力部3側から見た状態における左方向をさす。
【００２９】
入力部3は、文字データを入力する文字入力キー、印刷開始を指示する印刷キー、後述のフルカット機構17を動作させるためのカッターキー、表示部4の表示画面上のカーソルを移動操作するカーソルキー、印刷モードの設定や各種設定処理を行う種々の制御キーによって構成されている。また、表示部4は、液晶表示装置等とされるものであって、入力されたデータに関する画像、各種の設定のための選択メニュー、各種の処理に関するメッセージ等が表示される。なお、入力部3及び表示部4の両機能を備えたタッチパネルを配置することもできる。
【００３０】
そして、筐体2の内部には、図２に示すように、テープ部材31及びインクリボン35を収容したテープカセット21を装填するためのカセット装填部8が形成されている。また、カセット装填部8内には、テープ印刷機構45と、テープカセット21を所定の位置に支持するためのカセット受部15と、が形成されている。このテープ印刷機構45は、縦方向に発熱素子が配列された印刷ヘッドとされるサーマルヘッド11と、サーマルヘッド11との間でテープ部材31及びインクリボン35を挟み込んでこれを搬送するプラテンローラ12と、印刷に使用したインクリボン35をテープカセット21内に巻取るリボン巻取軸13と、を備える。
【００３１】
また、カセット装填部8の一端部に筐体2の外に通じるテープ繰出部7が形成されており、このテープ繰出部7には、テープ部材31の印刷テープ層及び剥離テープ層をともに幅方向にカットするフルカット手段としてのフルカット機構17と、テープ部材31の剥離テープ層を残して印刷テープ層のみをカットするハーフカット手段としてのハーフカット機構18が組み込まれている。
【００３２】
このフルカット機構17及びハーフカット機構18は、例えば、特開２００１−２７７１８４号公報に示される構成の切断装置を用いることができる。この特開２００１−２７７１８４号公報に示されるフルカット機構17及びハーフカット機構18は、１つのカッターモータによって駆動され、当該カッターモータが正転するとフルカット機構17が作動し、カッターモータが反転するとハーフカット機構18が作動する構成である。そして、フルカット機構17は、対向して配置される固定刃及び可動刃を備えており、カッターモータが正転すると可動刃が固定刃方向に移動することによりテープ部材31を完全に切断（フルカット）する。また、ハーフカット機構18は、対向して配置される受け台及び可動刃を備え、カッターモータが反転すると可動刃が受け台方向に移動し、テープ部材31を受け台と可動刃の間で挟み込むことによりテープ部材31の印刷テープのみを切断する。
【００３３】
さらに、テープカセット21は、カセットケース22を備え、このカセットケース22の内部には、テープ部材31が巻装されたテープコア23、未使用のインクリボン35が巻装されたリボン供給コア24、使用済みのインクリボン35を巻取るリボン巻取コア25が夫々収納されている。また、テープカセット21のカセットケース22には、カセット装填部8内にテープカセット21を装填した場合にサーマルヘッド11が位置するヘッド配置部27が形成されている。
【００３４】
また、カセットケース22の隅部には、カセット装填部8のカセット受部15と係合し、このカセット受部15によって支持される被係合部29が形成されている。また、このカセットケース22の被係合部29には、図示しないがテープカセット21の種類に応じて所定の形状に形成されたカセット識別部が設けられており、カセット装填部8のカセット受部15には、テープカセット21が装填された場合にカセットケース22の被係合部29に形成されたカセット識別部に対応して複数個のカセット判別スイッチ44が設けられている。
【００３５】
そして、カセットケース22がカセット装填部8に装填されると、カセットケース22の被係合部29に形成されたカセット識別部と、カセット装填部8のカセット受部15に設けられた複数個のカセット判別スイッチ44と、が係合し、選択的にこのカセット判別スイッチ44がＯＮ・ＯＦＦ動作することにより、テープカセット21の種類が判別される。
【００３６】
このテープ印刷装置1は、印刷の指示がなされると、テープ部材31及びインクリボン35がテープカセット21から繰り出され、プラテンローラ12とサーマルヘッド11の間に重ね合わされた状態で挟み込まれて搬送される。そして、サーマルヘッド11が印刷データに基づいて発熱駆動され、インクリボン35のインクがテープ部材31に熱転写されてテープ部材31に印刷が行われる。なお、印刷データに基づいて駆動されるサーマルヘッド11は印刷手段を構成し、搬送モータによって駆動されてテープ部材31を搬送方向下流側に搬送するプラテンローラ12は、テープ部材31の搬送手段を構成する。
【００３７】
図３は、このテープ印刷装置1の回路構成を示すブロック図である。このテープ印刷装置1は、図３に示すように、制御手段とされる制御部40を備え、この制御部40には、記憶手段としてのＲＯＭ41及びＲＡＭ42と、入力手段としての入力部3と、表示手段としての表示部4と、が接続されている。さらに、制御部40には、印刷手段駆動回路51、搬送手段駆動回路52、切断手段駆動回路53、状態検出手段としての使用状態検出スイッチ55、カセット判別スイッチ44が接続されている。
【００３８】
この制御部40は、ＣＰＵであって、入力部3からのキー操作信号に応じて、又は、自動でＲＯＭ41に予め記憶されているシステムプログラム、メモリーカードに記憶された制御プログラム、外部機器から読み込まれた制御プログラム等を起動させ、ＲＡＭ42をワークメモリとして回路各部の動作を制御する。
【００３９】
ＲＯＭ41は、入力部3から入力された文字を印刷するためのプログラム、印刷フォント、塗り潰しに使用される斜線や網目、ドット模様等が記憶され、制御部40で読み取り可能なプログラムが記憶された記憶媒体としても機能する。また、このＲＯＭ41としては、ＥＰＲＯＭ等の書込みを可能としたＲＯＭが使用される場合もある。
【００４０】
ＲＡＭ42は、キー入力された印刷すべき文字の情報を記憶する入力データメモリ、入力された文字の情報が展開された印刷パターンデータが記憶される印刷データメモリ、表示部4に表示されるパターンデータが記憶される表示データメモリ等の各領域が確保され、印刷処理等に必要なデータを一時的に記憶するレジスタやカウンタ等が設けられている。
【００４１】
印刷手段駆動回路51は、印字パターンデータに従って印刷手段であるサーマルヘッド11を制御し、テープ部材31に印刷を実行させる。搬送手段駆動回路52は、搬送手段を駆動させる回路であって、プラテンローラ12やリボン巻取軸13を回転させるステッピングモータ等の搬送モータ46を制御し、所定の速度で長手方向にテープ部材31を搬送する。切断手段駆動回路53は、フルカット手段及びハーフカット手段等の切断手段を制御する駆動回路であり、フルカット機構17及びハーフカット機構18を駆動するカッターモータ48を制御する。
【００４２】
使用状態検出手段としての使用状態検出スイッチ55は、テープ印刷装置1が机上等に載置された状態である第１の使用状態か、或いは、手等に保持された状態である第２の使用状態かを検出するスイッチであり、検出した状態に応じて制御部40に信号を出力する。この使用状態検出スイッチ55は、図４に示すように、筐体2の底部に設けられた押しボタンタイプのスイッチにより構成されている。つまり、使用状態検出スイッチ55は、机上等に載置された第１の使用状態では、図４（ａ）に示すように、机の天板等に押されてＯＮ状態となり、テープ印刷装置1が手に保持された第２の使用状態では、図４（ｂ）に示すように、開放されてＯＦＦ状態となる。
【００４３】
したがって、使用状態検出スイッチ55がＯＮ状態であれば、テープ印刷装置1が机上等に載置された第１の使用状態と判断することができ、また、使用状態検出スイッチ55がＯＦＦ状態であれば、テープ印刷装置1が手に保持された第２の使用状態と判断することができる。なお、筐体2の底部に設けられる使用状態検出スイッチ55は、使用者が筐体2の所定の保持部を手指で保持したときに、その筐体2を保持している使用者の手指が触れる虞がない位置に設けられる。
【００４４】
図３に示したカセット判別スイッチ44は、上述したカセット装填部8に装填されたテープカセット21の種別を判別するスイッチであり、装填されたテープカセット21の判別結果の信号を制御部40に出力する。
【００４５】
そして、本実施例のテープ印刷装置1は、使用状態検出手段によって机上等に載置された状態か、或いは、手等に保持された状態かを検出し、その検出結果に基づいてラベル作成時のテープ切断処理を使用状態に応じて自動的に変更する機能を有している。
【００４６】
以下、このテープ切断処理の変更機能を有したテープ印刷装置の制御フローに関して述べる。図５は、本実施例のテープ印刷装置1におけるラベル作成時の制御フローを示すフローチャートであり、図６は、机上等に載置された状態で作成されたラベル61を示す説明図であり、図７は、手等に保持された状態で作成されたラベル61を示す説明図であり、図８は、手等に保持された状態で作成された他のラベル61を示す説明図である。
【００４７】
電源スイッチがＯＮ状態になり、ラベル61の作成が開始されると、制御手段は、図５に示すように、表示手段としての表示部4を制御して、ラベル61に印刷する内容を使用者に編集させる編集画面表示処理（ステップＳ１０１）を実行する。使用者は、この編集画面表示処理（ステップＳ１０１）において表示された表示画面上で、入力手段を操作することによりラベル61に印刷する内容を編集する。
【００４８】
編集画面表示処理（ステップＳ１０１）において編集が終了すると、制御手段は、表示部4に使用者が印刷枚数を設定するための設定画面を表示し、その設定画面上で使用者が印刷枚数として１以上の任意の数値Ｎを入力することにより、制御手段は、印刷枚数設定手段としてＲＡＭ42に設けたレジスタに印刷枚数Ｎを設定する印刷枚数設定処理（ステップＳ１０５）を実行する。
【００４９】
印刷枚数設定処理（ステップＳ１０５）が完了すると、制御手段は、使用者が印刷実行の操作を行ったか否かを判定する印刷実行判定処理（ステップＳ１１０）を実行し、印刷実行の操作があるまで待機する。
【００５０】
印刷実行判定処理（ステップＳ１１０）において印刷実行のキー操作が行われると、制御手段は、ＲＡＭ42に設けられるカウンタのカウント値ｎに初期値の１をセットする処理（ステップＳ１１５）を実行する。このｎの値は、印刷開始前に初期値が１にセットされるため、常に、ラベルの実印刷枚数プラス１枚を意味している。
【００５１】
次に、制御手段は、ｎ＝Ｎであるか否かを判定する最終ラベル判定処理（ステップＳ１２０）を実行する。この最終ラベル判別処理は、これから印刷するラベルが、設定印刷枚数Ｎ枚のうちの最後の１枚であるか否かを判定するものであり、ｎ＝Ｎでない場合には、印刷手段及び搬送手段を制御して、印刷処理（ステップＳ１２５）を実行する。また、ｎ＝Ｎの場合にはステップＳ１４０に移行する。
【００５２】
そして、印刷処理（ステップＳ１２５）が完了すると、制御手段は、テープ部材31に印刷したラベル領域の後端位置でハーフカット手段を制御してハーフカット処理（ステップＳ１３０）を実行する。このハーフカット処理（ステップＳ１３０）により、図６及び図７に示すように、連続して複数枚印刷される各ラベル61の境界位置にハーフカット63が形成される。なお、テープ印刷装置1では、図８に示すように、ハーフカット処理（ステップＳ１３０）の代わりに、各ラベル61間にカット位置を示すカットマーク67を印刷するカットマーク印刷処理を実行する構成とすることもできる。
【００５３】
ハーフカット処理（ステップＳ１３０）の後、制御手段は、図５に示したように、カウント値ｎを１だけインクリメントする処理（ステップＳ１３５）を実行し、最終ラベル判定処理（ステップＳ１２０）を再び実行する。
【００５４】
最終ラベル判定処理（ステップＳ１２０）においてｎ＝Ｎであった場合、制御手段は、上述した使用状態検出スイッチ55のＯＮ／ＯＦＦを判定する使用状態スイッチ判定処理（ステップＳ１４０）を実行する。使用状態スイッチ判定処理（ステップＳ１４０）において使用状態検出スイッチ55がＯＮ状態であった場合、つまり、机上等に載置された第１の使用状態の場合、制御手段は、印刷手段及び搬送手段を制御して、設定印刷枚数の最後のラベル61の印刷処理（ステップＳ１５０）を実行する。なお、設定枚数Ｎが１枚である場合、このステップＳ１５０の印刷処理は最初で最後のラベルの印刷処理となる。ステップＳ１６０の印刷処理も同様である。
【００５５】
そして、設定印刷枚数における全てのラベル61の印刷が完了すると、制御手段は、フルカット手段を制御して、最後に印刷したラベル61の後端位置を図６に示したようにフルカット65するフルカット処理（ステップＳ１５５）を実行し、ラベル61の作成を終了する。このフルカット処理によって、設定印刷枚数のラベル61が未印刷のテープ部材31から切り離される。
【００５６】
一方、使用状態スイッチ判定処理（ステップＳ１４０）において使用状態検出スイッチ55がＯＦＦ状態であった場合、つまり、手等に保持された第２の使用状態の場合、制御手段は、まず印刷手段及び搬送手段を制御して、設定印刷枚数のうちの最後の１枚の印刷処理（ステップＳ１６０）を実行する。
【００５７】
そして、設定印刷枚数の全てのラベル61の印刷が完了すると、制御手段は、ハーフカット手段を制御して、最後に印刷したラベル61の後端位置を図７に示したようにハーフカット63するハーフカット処理（ステップＳ１６５）を実行する。なお、図８に示したように、ハーフカット処理（ステップＳ１６５）の代わりにカットマーク印刷処理を実行してもよい。つまり、本実施例のテープ印刷装置1は、手等に保持された第２の使用状態の場合、ラベル61の作成後、自動的にフルカット65を行わないことを特徴としている。
【００５８】
ハーフカット処理（ステップＳ１６５）が終了すると、制御手段は、搬送手段を駆動させて、テープ部材31を搬送方向下流側の装置外に向けて所定の長さ搬送するテープ搬送処理（ステップＳ１７０）を実行する。このテープ搬送処理（ステップＳ１７０）により、図７及び図８に示すように、Ｎ枚目のラベル61の印刷が終了すると、テープ繰出部7よりも外方にＮ枚目のラベル61のハーフカット63位置又はカットマーク67位置が繰り出されることとなる。
【００５９】
さらに、制御手段は、表示手段（表示部4）に、例えば、「Ｎ枚のラベルの印刷が終了しました。カッターボタンを押してテープをカットしてください。」などのメッセージを表示して、使用者にカッターボタンを操作してフルカット機構を起動させるように促す操作指示画面表示処理（ステップＳ１７５）を実行する。そして、制御手段は、操作指示画面表示処理（ステップＳ１７５）の後、使用者によるカッターボタンの操作が行われたか否かを判定する切断指示判定処理（ステップＳ１８０）を実行する。切断指示判定処理（ステップＳ１８０）において、カッターボタンが操作された場合、制御手段は、切断手段駆動回路53を制御してカッターモータ48を駆動し、フルカット機構を強制的に動作させるフルカット処理（ステップＳ１８５）を実行する。
【００６０】
図５では、ハーフカット処理、或いは、カットマークの印刷処理（ステップＳ１６５）を行い、更にテープ搬送処理（ステップＳ１７０）を行うものとしたが、これらの処理を行うことなく、印刷処理（ステップＳ１６０）に続いて操作指示画面表示処理（ステップＳ１７５）以下の処理を行うようにしてもよい。このように、使用状態検出スイッチ55がＯＦＦ状態の場合、ラベルの印刷終了時に、制御部がフルカット機構を自動的に動作させないようにし、使用者が、表示部のメッセージ表示に促されてカッターキーを操作したときにフルカット機構を動作させるようにしている。
【００６１】
また、図５のフローチャートに示したこれらの処理は、コンピュータに実行させることのできるプログラムとして、例えば磁気ディスク、光ディスク、半導体メモリ等の記憶媒体に書き込んだ状態で各種装置に適用する、或いは、通信媒体により伝送して各種装置に適用することも可能である。このように所望の記憶媒体に本実施例で述べた各処理を記憶させ、他のコンピュータ等でプログラムを実行させることにより、本実施例のテープ印刷装置1を用いた場合と同様に長さ調整を容易に行うことができる。なお、コンピュータは、本実施例で述べたテープ印刷装置1に内蔵されたコンピュータに限定されるわけではなく、記憶媒体に記憶されたプログラムを読み取り可能であって、読み取ったプログラムに従って制御動作を行うＣＰＵ等の演算装置を備えているあらゆるコンピュータを含む。
【００６２】
本発明のテープ印刷装置1によれば、使用状態検出手段を備えることにより、机上等に載置された第１の使用状態、或いは、手等に保持された第２の使用状態等、使用状態の検出を行うことができ、よって、使用状態によって異なるラベル61の切断方法を実行することができる。
【００６３】
そして、本発明のテープ印刷装置1は、第２の使用状態の場合、フルカット手段を動作させることなく最終のラベル61の後端位置でハーフカット手段を動作させる、或いは、カットマーク67を印刷させた後、搬送手段を動作させてテープ印刷装置1の装置外に向けてテープ部材31を搬送する構成としている。これにより、本発明のテープ印刷装置1によれば、テープ部材31が完全に切断、つまり、フルカット65されたときのように、作成されたラベル61がテープ印刷装置1から地上等に落下することを防止できる。よって、本発明のテープ印刷装置1によれば、作成されたラベル61が地上等に落下することによりラベル61の紛失、或いは、ラベル61の汚れ、若しくは、複数のラベル61が混ざり合うといったことを防止できる。
【００６４】
また、本発明のテープ印刷装置1は、第２の使用状態の場合、最終のラベル61の印刷を終了した後にフルカット手段を動作させることなく、表示手段にカッターキーの操作を促す画面を表示させる構成としている。これにより、本発明のテープ印刷装置1によれば、使用者がフルカット65を行いたいタイミングでテープ部材31をフルカット65できるため、使用者が気付かないうちに作成されたラベル61がテープ印刷装置1から落下することを防止できる。
【００６５】
さらに、テープ印刷装置1において、使用状態検出手段がテープ印刷装置1の筐体2の底部に装着された使用状態検出スイッチ55によって形成されていることにより、テープ印刷装置1が机上等に載置されているときには机の天板等に押されてＯＮ状態となり、テープ印刷装置1が手等に保持されているときには開放されてＯＦＦ状態となるため、容易に使用状態を検出することができる。
【００６６】
また、テープ印刷装置1の使用状態に関わらず、印刷枚数設定手段によって設定された複数枚の各ラベル61の間にカットマーク67を印刷する構成とした場合、連続で作成された各ラベル61の切断位置が明確となるため、使用者が定規等で各ラベル61の切断位置を測って切断するといった作業が必要なく、業務効率の向上を図ることが可能なテープ印刷装置1を提供できる。
【００６７】
さらに、テープ印刷装置1の使用状態に関わらず、印刷枚数設定手段によって設定された複数枚の印刷枚数の各ラベル61の間にハーフカット63を行う構成とすることにより、連続で印刷されたラベル61を各ラベル61間で使用者が自ら切断する必要がなくなる。よって、各ラベル61の印刷テープ層を剥離テープ層から容易に剥がして使用できるため、切断の失敗によるテープ部材31の無駄や、各ラベル61の切断位置を定規等で測ることによる時間の浪費を防止できる。
【００６８】
なお、上述した実施例におけるテープ印刷装置1では、筐体2の底部に使用状態検出スイッチ55を装着した構成としているが、他の位置に使用状態検出スイッチ55を装着する構成とすることもできる。例えば、テープ印刷装置1において、筐体2の把持部2aに状態検出スイッチ55を装着することができる。この場合、使用状態検出スイッチ55が開放された状態をＯＮ状態、押された状態をＯＦＦ状態とすることにより、使用者が把持部2aを把持すると状態検出スイッチ55がＯＮ状態となり、テープ印刷装置1は、フルカット65を行わずにラベル61を作成する使用とすることができる。
【００６９】
このように、使用状態検出スイッチ55をテープ印刷装置1の筐体2に形成された把持部2aに装着することによっても、上述した実施例と同様に、机上等に載置された第１の使用状態、或いは、手等に保持された第２の使用状態等、使用状態の検出を行うことができ、よって、使用状態によって異なるラベル61の切断方法を実行することができる。
【００７０】
また、他の実施例に係るテープ印刷装置1として、使用状態検出スイッチ55を複数備えた構成とすることもできる。つまり、本実施例のテープ印刷装置1は、机上等に載置された第１の使用状態を検出する第１の使用状態検出スイッチと、手等に保持された第２の使用状態を検出する第２の使用状態検出スイッチと、を備えている。そして、第１の使用状態検出スイッチは、テープ印刷装置1の底部に装着されており、第２の使用状態検出スイッチは、テープ印刷装置1を保持するために筐体2に形成された把持部2aに装着されている。
【００７１】
このように、複数の使用状態検出スイッチ55を備えたテープ印刷装置1によれば、テープ印刷装置1が机上等に載置されている場合には、第１の使用状態検出スイッチがＯＮ状態となって第１の使用状態を検出し、使用者が筐体2の把持部2aを把持した場合には、第２の使用状態検出スイッチが使用者の手指によって押されて第２の使用状態を検出することができる。
【００７２】
よって、複数の使用状態検出スイッチ55を備えたテープ印刷装置1によっても、上述した実施例のテープ印刷装置1と同様に、机上等に載置された第１の使用状態、或いは、手等に保持された第２の使用状態等、使用状態の検出を行うことができ、使用状態によって異なるラベル61の切断方法を実行することができる。
【００７３】
また、テープ印刷装置1を手に持った場合に使用者が指等で容易に押せる位置に使用状態検出スイッチ55を装着し、フルカット65を禁止したい場合に使用者が任意で使用状態検出スイッチ55を押す構成とすることもできる。
【００７４】
上述した実施例では、テープ印刷装置は、フルカット装置17とハーフカット装置18を備えたものであるが、フルカット装置17のみを備えハーフカット装置18を備えていないテープ印刷装置にも本発明を適用できることは勿論である。そのようなテープ印刷装置では、ハーフカット処理を行うことができないため、それに代えてハーフカット位置にカットマークを印刷することになる。例えば、図５において、ステップＳ１３０及びＳ１６５のハーフカット処理に代えてカットマークの印刷を行うことになる。
【００７５】
そして、本発明は、以上の実施例に限定されるものでなく、発明の要旨を逸脱しない範囲で自由に変更、改良が可能である。
【符号の説明】
【００７６】
1   テープ印刷装置                2   筐体
2a  把持部                        3   入力部
4   表示部                        7   テープ繰出部
8   カセット装填部                11  サーマルヘッド
12  プラテンローラ                13  リボン巻取軸
15  カセット受部
17  フルカット装置                18  ハーフカット装置
21  テープカセット                22  カセットケース
23  テープコア                    24  リボン供給コア
25  リボン巻取コア                27  ヘッド配置部
29  被係合部                      31  テープ部材
35  インクリボン                  40  制御部
41  ＲＯＭ                        42  ＲＡＭ
44  カセット判別スイッチ          45  テープ印刷機構
46  搬送モータ                    48  カッターモータ
51  印刷手段駆動回路
52  搬送手段駆動回路              53  切断手段駆動回路
55  使用状態検出スイッチ          61  ラベル
63  ハーフカット                  65  フルカット
67  カットマーク
【図１】
2011025411.tif 000003
【図２】
2011025411.tif 000004
【図３】
2011025411.tif 000005
【図４】
2011025411.tif 000006
【図５】
2011025411.tif 000007
【図６】
2011025411.tif 000008
【図７】
2011025411.tif 000009
【図８】
2011025411.tif 000010